【手続補正書】
【提出日】令和3年6月30日(2021.6.30)
【手続補正１】
【補正対象書類名】特許請求の範囲
【補正対象項目名】全文
【補正方法】変更
【補正の内容】
【特許請求の範囲】
【請求項１】
複数のヒドロキシル基を備える繊維性材料を官能化する方法であって：
官能化された繊維性材料を得るために、前記繊維性材料を式Ｉの化合物と反応させるステップであって、Ｘは、式Ｉの第四級アンモニウムカチオンに対する一価の対アニオンであり、Ｈａｌは、ハロゲン原子である、前記反応させるステップ；を備える、
繊維性材料を官能化する方法。
2020531711.tif 000001
【請求項２】
Ｈａｌは、Ｃｌ及びＢｒから選択される、
請求項１に記載の繊維性材料を官能化する方法。
【請求項３】
Ｘは、Ｃｌ及びＢｒから選択される、
請求項１に記載の繊維性材料を官能化する方法。
【請求項４】
前記繊維性材料は、セルロース系繊維性材料を備える、
請求項１に記載の繊維性材料を官能化する方法。
【請求項５】
前記セルロース系繊維性材料は、天然繊維性材料である、
請求項４に記載の繊維性材料を官能化する方法。
【請求項６】
前記天然繊維性材料は、綿を備える、
請求項５に記載の繊維性材料を官能化する方法。
【請求項７】
前記セルロース系繊維性材料は、合成繊維性材料である、
請求項４に記載の繊維性材料を官能化する方法。
【請求項８】
前記合成繊維性材料は、レーヨンを備える、
請求項７に記載の繊維性材料を官能化する方法。
【請求項９】
前記反応させるステップは、水性溶媒中で行われる、
請求項１に記載の繊維性材料を官能化する方法。
【請求項１０】
前記反応させるステップは、Ｈａｌが結合している炭素原子と前記繊維性材料のヒドロキシル基の酸素原子との間に共有結合を形成するステップを備える、
請求項１に記載の繊維性材料を官能化する方法。
【請求項１１】
前記官能化された繊維性材料は、式ＩＩの少なくとも１つの部分を備え、
ａは、前記繊維性材料のヒドロキシル基の酸素原子への式ＩＩの部分の結合点を表す、
請求項１に記載の繊維性材料を官能化する方法。
2020531711.tif 000002
【請求項１２】
前記反応させるステップは、塩基の存在下で行われる、
請求項１に記載の繊維性材料を官能化する方法。
【請求項１３】
前記式Ｉの化合物に対する前記塩基のモル比は、１：１から２：１である、
請求項１２に記載の繊維性材料を官能化する方法。
【請求項１４】
前記塩基は、水酸化アルカリである、
請求項１３に記載の繊維性材料を官能化する方法。
【請求項１５】
前記反応させるステップは、室温で行われる、
請求項１に記載の繊維性材料を官能化する方法。
【請求項１６】
複数のヒドロキシル基を備える繊維性材料であって、
前記繊維性材料の少なくとも１つのヒドロキシル基が式ＩＩの部分で官能化され、
Ｘは、式ＩＩの第四級アンモニウムカチオンに対する一価の対アニオンであり、
ａは、前記繊維性材料のヒドロキシル基の酸素原子への式ＩＩの部分の結合点を表す、
繊維性材料。
2020531711.tif 000003
【請求項１７】
検知の閾値を下回る臭気を有する、
請求項１６に記載の繊維性材料。
【請求項１８】
不快度が３又はそれ未満の臭気を有する、
請求項１６に記載の繊維性材料。
【請求項１９】
請求項１６に記載の繊維性材料を染色する方法であって：
前記繊維性材料を染料と接触させるステップ；を備える、
繊維性材料を染色する方法。
【手続補正２】
【補正対象書類名】明細書
【補正対象項目名】００９５
【補正方法】変更
【補正の内容】
【００９５】
他の実施の形態
本願をその詳細な説明と併せて記載したが、前述の説明は、本願の範囲の例示を意図しており、本願の範囲を限定するものではない。他の態様、利点、及び改変も、以下の特許請求の範囲に含まれる。
［第１の局面］
複数のヒドロキシル基を備える繊維性材料を官能化する方法であって：
官能化された繊維性材料を得るために、前記繊維性材料を式Ｉの化合物と反応させるステップであって、Ｘは、式Ｉの第四級アンモニウムカチオンに対する一価の対アニオンであり、Ｈａｌは、ハロゲン原子である、前記反応させるステップ；を備える、
繊維性材料を官能化する方法。
2020531711.tif 000004
［第２の局面］
Ｈａｌは、Ｃｌ及びＢｒから選択される、
第１の局面に記載の繊維性材料を官能化する方法。
［第３の局面］
Ｈａｌは、Ｃｌである、
第１の局面に記載の繊維性材料を官能化する方法。
［第４の局面］
Ｘは、Ｃｌ及びＢｒから選択される、
第１の局面乃至第３の局面のいずれかに記載の繊維性材料を官能化する方法。
［第５の局面］
Ｘは、Ｃｌである、
第４の局面に記載の繊維性材料を官能化する方法。
［第６の局面］
前記繊維性材料は、セルロース系繊維性材料を備える、
第１の局面乃至第５の局面のいずれかに記載の繊維性材料を官能化する方法。
［第７の局面］
前記セルロース系繊維性材料は、天然繊維性材料である、
第６の局面に記載の繊維性材料を官能化する方法。
［第８の局面］
前記天然繊維性材料は、綿を備える、
第７の局面に記載の繊維性材料を官能化する方法。
［第９の局面］
前記セルロース系繊維性材料は、合成繊維性材料である、
第６の局面に記載の繊維性材料を官能化する方法。
［第１０の局面］
前記合成繊維性材料は、レーヨンを備える、
第９の局面に記載の繊維性材料を官能化する方法。
［第１１の局面］
前記反応させるステップは、水性溶媒中で行われる、
第１の局面乃至第１０の局面のいずれかに記載の繊維性材料を官能化する方法。
［第１２の局面］
前記水性溶媒は、水である、
第１１の局面に記載の繊維性材料を官能化する方法。
［第１３の局面］
前記反応させるステップは、Ｈａｌが結合している炭素原子と前記繊維性材料のヒドロキシル基の酸素原子との間に共有結合を形成するステップを備える、
第１の局面乃至第１２の局面のいずれかに記載の繊維性材料を官能化する方法。
［第１４の局面］
前記官能化された繊維性材料は、式ＩＩの少なくとも１つの部分を備え、
ａは、前記繊維性材料のヒドロキシル基の酸素原子への式ＩＩの部分の結合点を表す、
第１の局面乃至第１３の局面のいずれかに記載の繊維性材料を官能化する方法。
2020531711.tif 000005
［第１５の局面］
前記反応させるステップは、塩基の存在下で行われる、
第１の局面乃至第１４の局面のいずれかに記載の繊維性材料を官能化する方法。
［第１６の局面］
前記式Ｉの化合物に対する前記塩基のモル比は、約１：１から約２：１である、
第１５の局面に記載の繊維性材料を官能化する方法。
［第１７の局面］
前記塩基は、水酸化アルカリである、
第１５の局面又は第１６の局面に記載の繊維性材料を官能化する方法。
［第１８の局面］
前記水酸化アルカリは、水酸化ナトリウムである、
第１７の局面に記載の繊維性材料を官能化する方法。
［第１９の局面］
前記反応させるステップは、ほぼ室温で行われる、
第１の局面乃至第１８の局面のいずれかに記載の繊維性材料を官能化する方法。
［第２０の局面］
繊維性材料であって、
第１の局面乃至第１９の局面のいずれかに記載のプロセスにより調製される、官能化された、
繊維性材料。
［第２１の局面］
複数のヒドロキシル基を備える繊維性材料であって、
前記繊維性材料の少なくとも１つのヒドロキシル基が式ＩＩの部分で官能化され、
Ｘは、式ＩＩの前記第四級アンモニウムカチオンに対する一価の対アニオンであり、
ａは、前記繊維性材料のヒドロキシル基の酸素原子への式ＩＩの部分の結合点を表す、
繊維性材料。
2020531711.tif 000006
［第２２の局面］
Ｘは、Ｃｌ及びＢｒから選択される、
第２１の局面に記載の繊維性材料。
［第２３の局面］
Ｘは、Ｃｌである、
第２２の局面に記載の繊維性材料。
［第２４の局面］
前記繊維性材料は、セルロース系繊維性材料を備える、
第２１の局面乃至第２３の局面のいずれかに記載の繊維性材料。
［第２５の局面］
前記セルロース系繊維性材料は、天然繊維性材料である、
第２４の局面に記載の繊維性材料。
［第２６の局面］
前記天然繊維性材料は、綿を備える、
第２５の局面に記載の繊維性材料。
［第２７の局面］
前記セルロース系繊維性材料は、合成繊維性材料である、
第２４の局面に記載の繊維性材料。
［第２８の局面］
前記合成繊維性材料は、レーヨンを備える、
第２７の局面に記載の繊維性材料。
［第２９の局面］
検知の閾値を下回る臭気を有する、
第２０の局面乃至第２８の局面のいずれかに記載の繊維性材料。
［第３０の局面］
不快度が約３又はそれ未満の臭気を有する、
第２０の局面乃至第２９の局面のいずれかに記載の繊維性材料。
［第３１の局面］
第２０の局面乃至第３０の局面のいずれかに記載の繊維性材料を染色する方法であって：
前記繊維性材料を染料と接触させるステップ；を備える、
繊維性材料を染色する方法。
［第３２の局面］
前記染料は、反応染料である、
第３１の局面に記載の繊維性材料を染色する方法。
［第３３の局面］
前記染料は、酸性染料である、
第３１の局面に記載の繊維性材料を染色する方法。